(57)【要約】【課題】本発明は、商品のキャンペーンラベル等にＩＤ番号（文字、記号等も含む）をコード化したものを印字しておき、このコードを撮像した（読み取った）情報を送信することにより、キャンペーンに応募できるようにすることを課題とする。【解決手段】キャンペーン商品を提供する商品供給業者のデータベースサーバー７と、前記商品を購入する需要者の顧客端末２とが、通信ネットワーク１０で接続され、各商品にはキャンペーンに参加するためのＩＤ用コードが付されており、需要者は携帯電話１７等のカメラ１５でＩＤ用コードを撮像し、データベースサーバー７に送信可能で、データベースサーバー７は、ＩＤ用コードの情報により、応募資格を判断し、応募結果を需要者の顧客端末に送信することにある。【選択図】図１
2005018271.tif 000002
【特許請求の範囲】
【請求項１】
キャンペーン商品を提供する商品供給業者のデータベースと、前記商品を購入する需要者の顧客端末とが、通信ネットワークで接続され、各商品にはキャンペーンに参加するためのＩＤ用コードが付されており、ＩＤ用コードは数字及び／又は文字列のマトリックスからなり、需要者は顧客端末で前記ＩＤ用コードを撮像して得た情報を前記データベースに送信可能で、前記データベースは、前記ＩＤ用コードの情報により、応募資格を判断し、応募結果を需要者の顧客端末に送信することを特徴とするキャンペーンの参加システム。
【請求項２】
前記ＩＤ用コードは、商品に貼着されたキャンペーンラベルに印刷されている請求項１に記載のキャンペーンの参加システム。
【請求項３】
キャンペーンに参加するためのＩＤ用コードが付与された商品であって、ＩＤ用コードは数字及び／又は文字列のマトリックスからなり、前記ＩＤ用コードには、顧客端末から通信ネットワークを介して商品供給業者のデータベースに送信可能で、且つデータベースが応募資格を判断するための情報が記録されていることを特徴とするＩＤ用コードが付与された商品。
【発明の詳細な説明】
【０００１】
【発明の属する技術分野】
本発明は、インターネット等の通信ネットワークを利用したキャンペーンの参加システム及びＩＤ用コードが付与された商品に関する。
【０００２】
【従来の技術】
従来、お茶やジュース等の清涼飲料、ビール等の酒類は缶またはＰＥＴボトル等の容器に充填された状態で商品流通市場を流通する。かかる飲料商品では、販売促進のために、飲料商品の購入者（需要者）が応募することにより、種々の景品が当たるといったキャンペーン等が頻繁に行われており、そのようなキャンペーンを行う場合には、例えばキャンペーン専用の個々の表示（キャンペーン用ＩＤ番号）を印刷した応募シールを容器の表面に貼付したり、キャンペーン用ＩＤ番号の印刷を、容器に装着されたラベル等に施こすことがなされている。また、このようなキャンペーンは、菓子や調味料等の食品やタバコ、インスタントコーヒー等の嗜好品等でも行われている。
【０００３】
そして、需要者は、キャンペーンラベルに印字されたＩＤ番号を、インターネットのホームページ（ＨＰ）上でキーボードから入力することにより、キャンペーンに応募できるシステムがある。尚、従来のＩＤ番号とは、例えば応募資格を示すものとなり且つ、「当り」、「はずれ」、「ポイントの蓄積」等の応募結果を確認するために商品毎に異なった複数桁の数字等の人為的に入力する情報をいう。また、応募資格とは、商品の購買証明や当該ＩＤによる最初のキャンペーン（正当なキャンペーン）の参加であることを条件とする資格をいう。
【０００４】
また、商品のキャンペーンラベル等に、前記ＩＤ番号（文字、記号等も含む）とＨＰのＵＲＬ（Ｕｎｉｆｏｒｍ  Ｒｅｓｏｕｃｅ  Ｌｏｃａｔｏｒ）に相当する情報を複合させた符号からなる応募コードを付与しておき、この応募コードを入力する事により、キャンペーンラベルの供給業者のデータベースサーバーに直接アクセスして応募結果を確認できるようにするシステムも考えられている（特許文献１）。
【０００５】
また、キャンペーンラベルにバーコード化したＩＤ番号を印字しておき、このバーコードをスキャンする（読み取る）ことにより、キーボードから入力することなくキャンペーンに応募できるようにすることも考えられている（特許文献２）。
【０００６】
【特許文献１】
特開２００２−３１８８７８号公報
【特許文献２】
特開２００２−２７９２６８号公報
【０００７】
【発明が解決しようとする課題】
しかしながら、前記ＩＤ番号は、桁数が多くなっているのが現状であるため、需要者が応募する際には、必然的に入力する桁数が多くなり、面倒である。しかも、複数のキャンペーンに応募する際は、入力が面倒で入力ミスも多く発生する。また、バーコード化したものは、スキャナー等の読み取り装置を持たない需要者は応募できなくなるという問題がある。
【０００８】
本発明は、上記従来の問題点に鑑みてなされたもので、商品のキャンペーンラベル等にＩＤ番号（文字、記号等も含む）を一般に普及している携帯電話等のデジタルカメラで撮像により読み取り、キャンペーンに応募できるようにすることを課題とする。
【０００９】
【課題を解決するための手段】
本発明が上記課題を解決するために講じた技術的手段は、キャンペーン商品を提供する商品供給業者のデータベースと、前記商品を購入する需要者の顧客端末とが、通信ネットワークで接続され、各商品にはキャンペーンに参加するためのＩＤ用コードが付されており、ＩＤ用コードは数字及び／又は文字列のマトリックスからなり、需要者は顧客端末で前記ＩＤ用コードを撮像して得た情報を前記データベースに送信可能で、前記データベースは、前記ＩＤ用バーコードの情報により、応募資格を判断し、応募結果を需要者の顧客端末に送信することにある。
【００１０】
また、キャンペーンに参加するためのＩＤ用コードが付与された商品であって、ＩＤ用コードは数字及び／又は文字列のマトリックスからなり、前記ＩＤ用コードには、顧客端末から通信ネットワークを介して商品供給業者のデータベースに送信可能で、且つデータベースが応募資格を判断するための情報が記録されていることにある。
【００１１】
【発明の実施の形態】
以下、本発明の実施の形態について図面を参照しながら説明する。図１及び図２は本発明の一実施の形態を示す。本実施の形態に係るシステム１は、キャンペーン用ラベル５が貼付された商品（キャンペーン商品）６を購入する需要者の顧客端末２と、前記商品６を提供する商品供給業者のデータベースサーバー（データベース）７とが、通信ネットワークとしてのインターネット１０を通じて接続されている。
【００１２】
前記ラベル５は、図２（イ）に示す如く例えば、容器４に貼着される一枚のシートからなるもので、その表面（又は裏面でも良い）には、個々のキャンペーン用ＩＤ情報が記録されたＩＤ用コード１１が印刷（印字）されている。ＩＤ用コード１１は、商品毎に付与される異なったＩＤ番号（文字列等も含む）を数字と英文字を配列したマトリックスに変換したもので、そのＩＤ用コード１１の情報（ＩＤ番号）により商品の購買証明とキャンペーンの応募結果（例えば当選の有無及び／または当選時や購入時のポイント）が判明するようになっている。
【００１３】
マトリックスは、後述のようにデジタルカメラで撮像するため、図２（イ）の例示の「４行４列」のように行と列が同数の略正方形の枠に収まるように配列されたものが、撮像しやすく、画像からの文字識別処理が容易であるため好ましい。行列の配列の好ましい例としては、３行３列以上で、他に「３行３列」「３行４列」「４行３列」「４行５列」「５行５列」がある。
【００１４】
また、ラベル５にはインターネットのＵＲＬ（Ｕｎｉｆｏｒｍ  Ｒｅｓｏｕｃｅ  Ｌｏｃａｔｏｒ）も印刷されており、このＵＲＬにより商品供給業者のＨＰに接続し、キャンペーンのデータベースサーバー７に接続することができる。
【００１５】
尚、キャンペーンラベル５は、図２（ロ）に示すように、複数の紙面５ａ，５ｂが剥離可能に重ね合わされた冊子状のものであっても良い。かかる多重ラベルからなるものは、内側の紙面５ａに、ＩＤ用コード１１が印刷されている。そして、商品の流通及び販売時には、ＩＤ用コード１１は表側の紙面５ｂに目視できないように閉塞されている。
【００１６】
前記顧客端末２とは、例えば前記キャンペーンラベル５の前記ＩＤ用コード１１を読み取るための携帯電話器に付属されたデジタルカメラ１５と、このデジタルカメラ１５で撮像した（読み取った）情報を処理する通信手段としての携帯電話１７とから構成されている。顧客端末２は特に限定されるものではなく、ＩＤ用コードを撮像可能なカメラと撮像した情報を処理し通信できるパソコン等でも良く、需要者と商品供給業者とがインターネット等で通信できるものであれば特に限定されるものではない。
【００１７】
商品供給業者のデータベースサーバー７は、各顧客端末２に対してキャンペーンに参加するためのホームページを提供している。データベースサーバー７は、アクセスした需要者の顧客端末２に、前記ＩＤ用コード１１の情報に基づいて、前記キャンペーン商品に関する応募結果等の所定の情報を送信することができる。
【００１８】
前記商品供給業者は、個々のＩＤ用コード１１が印刷されたラベル５を製造し、該ラベル５を商品に付してキャンペーン商品６として市場に供給する。また、ラベル５に付した個々のＩＤ用コード１１の情報をデータベースサーバー７に記憶保存する。尚、供給業者は、ラベル５の製造、ＩＤ番号（文字等）やデータベースサーバー７の管理等を第三者に委託して実施することもできる。
【００１９】
（キャンペーンの応募方法１）
図３において、需要者は、市場を流通する前記キャンペーン用の商品６を購入した後に、顧客端末２を使用してキャンペーンラベル５に表記されたＵＲＬにより通信ネットワーク１０を介してデータベースサーバー７にアクセスすると商品供給業者のホームページのキャンペーン告知案内２０が表示される。
【００２０】
応募ボタン２０ａを選択して応募登録フォーム３０を表示し、その登録フォーム３０に自己のＩＤ用コード１１の情報を送信する。その方法は、顧客端末２（携帯電話１７）のデジタルカメラ１５でキャンペーンラベルのＩＤ用コード１１を撮像１９して（読み取って）得られた画像情報を送信する事によりできる。また、該応募登録フォーム３０のゲームチャレンジボタン３０ａをクリックすることにより、各種のミニゲーム３１に参加することもできる。
【００２１】
ゲームの終了後に当選の有無が判断され、例えば、応募結果（抽選結果）が当選の場合には、アタリメッセージ２５と共に当選者入力フォーム２６が表示される。需要者は、当選者入力フォーム２６に個人情報（住所、電話番号、性別、年齢、Ｅ−ｍａｉｌアドレス、氏名等）を入力し、その情報を確認した後に、データベースサーバー７に送信する。データベースサーバー７は、当選確定のメッセージ２７を返信すると共に、供給業者側は、商品を需要者に発送する。
【００２２】
前記ＩＤ用コード１１の情報がポイント加算の対象となる場合には、そのＩＤ用コード１１の情報に応じた所定のポイントが需要者に付与される。反対に、抽選結果がハズレの場合には、ハズレのメンセージ２８が需要者に送信される。
【００２３】
また、ゲームの成績に応じて、１ポイント、５ポイント、１０ポイント等のポイントを加算する場合には、所定のポイントが得られ、データベースサーバー７に蓄積される。尚、前記ゲームを希望しない場合には、応募登録フォーム３０からゲームを希望しない旨のボタン（図示省略）を選択することにより、直接当選の有無を知ることも可能である。
【００２４】
以上のように、キャンペーンの種類、規模、期間等により、ポイント加算方式やゲームの有無等の設定をすることができる。また、ＩＤ用コード１１を暗号化し数字及び／又は文字列のマトリックスから構成することにより、悪戯によるキャンペーンの応募が困難となる。
【００２５】
一方、商品供給業者は、任意の需要者からインターネット１０を通じて送られる個人情報を蓄積しデータベース化するとともに、蓄積した情報を基に需要者に関連するマーケッテイング情報を作成して需要者に提供することができる。例えば、需要者に、応募に際してＥ−ｍａｉｌアドレスの入力を求め、会員登録（パスワード付与）をすれば、商品供給業者は特定の需要者の応募回数（商品の購入回数）を知ることができ、多数応募した者をキャンペーンお得意様として管理でき、また、一定期間内のポイント数が設定値を上まった特定の需要者を上級会員として管理し、商品に関する情報等を提供でき、サービスの向上を図れるメリットがある。
【００２６】
商品供給業者は、キャンペーン商品に関する需要者の応答を、広い範囲で迅速に収集でき、キャンペーン対象商品に対する需要者の地域別の購買傾向や販売地域毎の売り上げ実績等の把握が容易となり、確実なマーケティング情報が得られ、的確且つ迅速にキャンペーン商品に関する販売戦略の立案等を行え、需要者サービスの向上及び需要者と商品供給業者との双方向情報伝達システムの構築を実現できる。
【００２７】
（キャンペーンの応募方法２）
図４の本発明に係るキャンペーンの応募方法は、商品供給業者側から発行された専用のハガキに、ＩＤ用コード１１の部分を貼付して郵送することにより、キャンペーンに参加する場合について例示する。本応募方法は、商品供給業者のホームページを開いて、当選した場合には当選者入力フォーム２６に前記個人情報を入力し、その情報を確認した後に、データベースサーバー７に送信するまでの手順は、前記キャンペーンの応募方法１と同様である。そして、データベースサーバー７は、ハガキの郵送先情報３５を発行すると共に、需要者のパソコン１７に当選等のメッセージ３６を表示する。
【００２８】
需要者は、郵送先情報３５に従いハガキに自己のＩＤ用コード１１の部分を貼付して郵送し、その後に商品を取得する。
【００２９】
本発明は上記の実施の形態に限定されるものではなく、例えば、ＩＤ用コード１１は、ラベル５以外に例えば容器４に装着される筒状ラベル９の裏面に設けても良い。
【００３０】
また、ＩＤ用コード１１にＵＲＬを示す文字列を暗号化するとともに複合化する事により、ＩＤ用コード１１を撮像した画像情報をパソコン（顧客端末）に入力するだけで、パソコンに別途入力したコード解析プログラムによりＵＲＬとキャンペーン用ＩＤコードを復元し自動的に商品供給業者のＨＰ（データベースサーバ）へアクセスするとともにキャンペーンへの応募を行うようにする事もできる。
【００３１】
また、ＩＤ用コードは、数字と英文字からなるマトリックスの場合は、撮像した画像情報でなく、キーボード等からの文字情報として送信する事もできるので、デジタルカメラ等の撮像手段が無い場合でもキャンペーンに参加できる。
【００３２】
【発明の効果】
以上のように本発明によれば、キャンペーンラベルを含む商品にＩＤ番号を数字及び／又は文字列のマトリックスからなるコードにしたものを設け、需要者がこのＩＤ用コードを撮像し応募できることになり、従来のようにキーボードから入力することなく、各種のキャンペーンに応募できるので、キャンペーンに必要な情報量が多くなっても、需要者の入力手間が容易且つ迅速に行え、入力ミスも防止できる。
【図面の簡単な説明】
【図１】本発明の一実施の形態を示すキャンペーンの参加システムの構成図である。
【図２】（イ）はキャンペーン商品の斜視図、（ロ）はキャンペーンラベルの斜視図である。
【図３】キャンペーンの応募方法１のフローを示すブロック図である。
【図４】キャンペーンの応募方法２のフローを示すブロック図である。
【符号の説明】
１  キャンペーンの参加システム
２  顧客端末
５  キャンペーン用ラベル
６  キャンペーン商品
７  データベースサーバー（データベース）
１０  インターネット
１１  ＩＤ用コード
【図１】
2005018271.tif 000003
【図２】
2005018271.tif 000004
【図３】
2005018271.tif 000005
【図４】
2005018271.tif 000006